(57)【要約】【課題】録画に関わる番組を視聴者がザッピング中に選局してしまっても、録画に関わる番組を途中から視聴させないようにする。【解決手段】放送受信装置１１０は、複数のチャンネルの放送を同時に受信可能な放送受信部と、放送受信部によって受信された複数のチャンネルのうちの１つのチャンネルの放送に含まれる番組を番組録画部１４２に録画させる録画制御部１５８と、番組録画部に録画させた番組に対応する放送のチャンネルである録画チャンネルを記憶するチャンネル記憶部１６０と、視聴者によって設定されたチャンネルである設定チャンネルと、録画チャンネルとが一致しているか否か判定し、一致していない場合、設定チャンネルの番組を表示装置１１４に表示させ、一致した場合、設定チャンネル以外のチャンネルの放送を放送受信部に受信させ、受信させたチャンネルの放送に含まれる番組を表示装置に表示させる表示制御部１６４とを備える。【選択図】図２
2013012945.tif 000002
【特許請求の範囲】
【請求項１】
複数のチャンネルの放送を同時に受信可能な放送受信部と、
前記放送受信部によって受信された複数のチャンネルのうちの１つのチャンネルの放送に含まれる番組を番組録画部に録画させる録画制御部と、
前記番組録画部に録画させた番組に対応する放送のチャンネルである録画チャンネルを記憶するチャンネル記憶部と、
視聴者によって設定されたチャンネルである設定チャンネルと、前記録画チャンネルとが一致しているか否か判定し、一致していない場合、前記設定チャンネルの番組を表示装置に表示させ、一致した場合、前記設定チャンネル以外のチャンネルの放送を前記放送受信部に受信させ、受信させたチャンネルの放送に含まれる番組を前記表示装置に表示させる表示制御部と、
を備えることを特徴とする放送受信装置。
【請求項２】
前記表示制御部は、前記設定チャンネルがアップ・ダウン選局による設定チャンネルの場合、この設定チャンネルと前記録画チャンネルとが一致したら、前記設定チャンネルをスキップした次のチャンネルの放送を前記放送受信部に受信させ、受信させたチャンネルの放送に含まれる番組を前記表示装置に表示させることを特徴とする請求項１に記載の放送受信装置。
【請求項３】
前記表示制御部は、前記設定チャンネルがダイレクト選局による設定チャンネルの場合、この設定チャンネルと前記録画チャンネルとが一致したら、前記設定チャンネルの前に設定されていたチャンネルの放送を前記放送受信部に受信させ、受信させたチャンネルの放送に含まれる番組を前記表示装置に表示させることを特徴とする請求項１または２に記載の放送受信装置。
【請求項４】
複数のチャンネルの放送を同時に受信可能な放送受信部と、
前記放送受信部によって受信された複数のチャンネルのうちの１つのチャンネルの放送に含まれる番組を番組録画部に録画させる録画制御部と、
前記番組録画部に録画させた番組に対応する放送のチャンネルである録画チャンネルを記憶するチャンネル記憶部と、
視聴者によって設定されたチャンネルである設定チャンネルと、前記録画チャンネルとが一致しているか否か判定し、一致していない場合、前記設定チャンネルの番組を表示装置に表示させ、一致した場合、前記番組録画部に録画中の番組を再生させる表示制御部と、
を備えることを特徴とする放送受信装置。
【請求項５】
前記表示制御部は、前記番組録画部に録画中の番組の再生を停止したレジュームポイントを記憶しておき、前記設定チャンネルと、前記録画チャンネルとが一致した場合、記憶した前記レジュームポイントから番組を再生することを特徴とする請求項４に記載の放送受信装置。
【請求項６】
複数のチャンネルの放送を同時に受信可能な放送受信部と、番組を録画する番組録画部と、表示装置とを用いて番組を選択する番組選択方法であって、
前記放送受信部によって受信された複数のチャンネルのうちの１つのチャンネルの放送に含まれる番組を前記番組録画部に録画させ、
前記番組録画部に録画させた番組に対応する放送のチャンネルである録画チャンネルを記憶し、
視聴者によって設定されたチャンネルである設定チャンネルと、前記録画チャンネルとが一致しているか否か判定し、一致していない場合、前記設定チャンネルの番組を前記表示装置に表示させ、一致した場合、前記設定チャンネル以外のチャンネルの放送を前記放送受信部に受信させ、受信させたチャンネルの放送に含まれる番組を前記表示装置に表示させることを特徴とする番組選択方法。
【請求項７】
複数のチャンネルの放送を同時に受信可能な放送受信部と、番組を録画する番組録画部と、表示装置とを用いて番組を選択する番組選択方法であって、
前記放送受信部によって受信された複数のチャンネルのうちの１つのチャンネルの放送に含まれる番組を前記番組録画部に録画させ、
前記番組録画部に録画させた番組に対応する放送のチャンネルである録画チャンネルを記憶し、
視聴者によって設定されたチャンネルである設定チャンネルと、前記録画チャンネルとが一致しているか否か判定し、一致していない場合、前記設定チャンネルの番組を前記表示装置に表示させ、一致した場合、前記番組録画部に録画中の番組を再生させることを特徴とする番組選択方法。
【発明の詳細な説明】
【技術分野】
【０００１】
本発明は、ザッピング選局の際に、選局された番組を視聴者が所望する表示態様で表示する放送受信装置および番組選択方法に関する。
【背景技術】
【０００２】
テレビジョン放送を受信する際、視聴者は、放送されている複数の番組から１の番組を選択して視聴する。近年、視聴者は、番組情報に基づいて生成された番組表（ＥＰＧ：Electronic Program Guide）を参照し、番組情報を確認しつつ、番組情報が示される領域自体を指定することで所望の番組を直接選択することができるようになった。このとき、既に録画が完了している番組について、番組表の時間軸方向に指標を重畳し、番組表を視認するだけで、どの番組が録画されているかを容易に把握できる技術が知られている（例えば、特許文献１）。
【０００３】
ただし、あらかじめ、これといって視聴目的とする番組がない場合に、視聴者が、番組表を表示させ、そこから所望する番組を選局するとなると、その一連の処理は時間を要し、操作が煩雑になる。したがって、このように、あらかじめ視聴目的とする番組がない場合、視聴者は、リモコンのチャンネルのアップ・ダウン選局や、チャンネルキーのダイレクト選局を行うことで、視聴可能な番組を放送しているチャンネルを短時間で切り換えて視認し、所望する番組を迅速に見つけ出す、所謂、ザッピングを行う。
【先行技術文献】
【特許文献】
【０００４】
【特許文献１】特開２００３−２５９２６５号公報
【発明の概要】
【発明が解決しようとする課題】
【０００５】
ところで、近年、放送受信装置において、放送信号を受信するチューナーを複数設け、所定の番組を表示装置に表示することなしに録画すると共に、その番組とは異なる番組を表示装置に表示して、録画と並行して他の番組をリアルタイムに視聴することができるようになった。したがって、所望の番組を放送受信装置内で録画しつつ、それとは別に、リアルタイムで視聴する番組をザッピングによって選択することができる。
【０００６】
しかし、選択可能な番組の中には、そのとき録画している番組も含まれているので、視聴者が適当にザッピングを行っていると、意図せず、録画している番組のチャンネルを選局してしまい、番組の途中における、例えば、スポーツの結果やドラマの決定的なシーン等を不意に見てしまうこともある。そうすると、視聴者は、折角録画している番組の結末が解ってしまい、その番組を見たときの感動や意外性が半減してしまう。
【０００７】
また、近年では、人名やカテゴリーといったキーワードを放送受信装置に登録するだけで、そのキーワードに関する番組を自動的に録画する機能を有しているものがある。このような放送受信装置の下では、視聴者が意識しなくても所望する番組が次々に録画されることとなる。しかし、視聴者は、録画されているのを知らずに、上記同様、ザッピングによって、その録画されている番組を不意に見てしまったり、番組の途中から、つい見入ってしまい、後にその番組が、番組開始時から録画されていたことを知って後悔することもあった。
【０００８】
そこで本発明は、このような課題に鑑み、録画に関わる番組を視聴者がザッピング中に選局してしまっても、その録画に関わる番組を途中から視聴させないようにする、放送受信装置および番組選択方法を提供することを目的としている。
【０００９】
上記課題を解決するために、本発明は下記の放送受信装置および番組選択方法を提供するものである。
（１）複数のチャンネルの放送を同時に受信可能な放送受信部と、前記放送受信部によって受信された複数のチャンネルのうちの１つのチャンネルの放送に含まれる番組を番組録画部に録画させる録画制御部と、前記番組録画部に録画させた番組に対応する放送のチャンネルである録画チャンネルを記憶するチャンネル記憶部と、視聴者によって設定されたチャンネルである設定チャンネルと、前記録画チャンネルとが一致しているか否か判定し、一致していない場合、前記設定チャンネルの番組を表示装置に表示させ、一致した場合、前記設定チャンネル以外のチャンネルの放送を前記放送受信部に受信させ、受信させたチャンネルの放送に含まれる番組を前記表示装置に表示させる表示制御部と、を備えることを特徴とする放送受信装置。
（２）前記表示制御部は、前記設定チャンネルがアップ・ダウン選局による設定チャンネルの場合、この設定チャンネルと前記録画チャンネルとが一致したら、前記設定チャンネルをスキップした次のチャンネルの放送を前記放送受信部に受信させ、受信させたチャンネルの放送に含まれる番組を前記表示装置に表示させることを特徴とする上記（１）に記載の放送受信装置。
（３）前記表示制御部は、前記設定チャンネルがダイレクト選局による設定チャンネルの場合、この設定チャンネルと前記録画チャンネルとが一致したら、前記設定チャンネルの前に設定されていたチャンネルの放送を前記放送受信部に受信させ、受信させたチャンネルの放送に含まれる番組を前記表示装置に表示させることを特徴とする上記（１）または（２）に記載の放送受信装置。
（４）複数のチャンネルの放送を同時に受信可能な放送受信部と、前記放送受信部によって受信された複数のチャンネルのうちの１つのチャンネルの放送に含まれる番組を番組録画部に録画させる録画制御部と、前記番組録画部に録画させた番組に対応する放送のチャンネルである録画チャンネルを記憶するチャンネル記憶部と、視聴者によって設定されたチャンネルである設定チャンネルと、前記録画チャンネルとが一致しているか否か判定し、一致していない場合、前記設定チャンネルの番組を表示装置に表示させ、一致した場合、前記番組録画部に録画中の番組を再生させる表示制御部と、を備えることを特徴とする放送受信装置。
（５）前記表示制御部は、前記番組録画部に録画中の番組の再生を停止したレジュームポイントを記憶しておき、前記設定チャンネルと、前記録画チャンネルとが一致した場合、記憶した前記レジュームポイントから番組を再生することを特徴とする上記（４）に記載の放送受信装置。
（６）複数のチャンネルの放送を同時に受信可能な放送受信部と、番組を録画する番組録画部と、表示装置とを用いて番組を選択する番組選択方法であって、前記放送受信部によって受信された複数のチャンネルのうちの１つのチャンネルの放送に含まれる番組を前記番組録画部に録画させ、前記番組録画部に録画させた番組に対応する放送のチャンネルである録画チャンネルを記憶し、視聴者によって設定されたチャンネルである設定チャンネルと、前記録画チャンネルとが一致しているか否か判定し、一致していない場合、前記設定チャンネルの番組を前記表示装置に表示させ、一致した場合、前記設定チャンネル以外のチャンネルの放送を前記放送受信部に受信させ、受信させたチャンネルの放送に含まれる番組を前記表示装置に表示させることを特徴とする番組選択方法。
（７）複数のチャンネルの放送を同時に受信可能な放送受信部と、番組を録画する番組録画部と、表示装置とを用いて番組を選択する番組選択方法であって、前記放送受信部によって受信された複数のチャンネルのうちの１つのチャンネルの放送に含まれる番組を前記番組録画部に録画させ、前記番組録画部に録画させた番組に対応する放送のチャンネルである録画チャンネルを記憶し、視聴者によって設定されたチャンネルである設定チャンネルと、前記録画チャンネルとが一致しているか否か判定し、一致していない場合、前記設定チャンネルの番組を前記表示装置に表示させ、一致した場合、前記番組録画部に録画中の番組を再生させることを特徴とする番組選択方法。
【発明の効果】
【００１０】
本発明によれば、録画に関わる番組を視聴者がザッピング中に選局してしまっても、その録画に関わる番組を途中から視聴させないようにすることが可能となる。
【図面の簡単な説明】
【００１１】
【図１】番組表示システムの概略的な接続関係を示した説明図である。
【図２】放送受信装置の概略的な構成を示した機能ブロック図である。
【図３】チャンネルのスキップを説明するための説明図である。
【図４】チャンネルに関する非表示処理を説明するための説明図である。
【図５】第１の実施形態における番組選択方法の処理の流れを説明したフローチャートである。
【図６】第２の実施形態における番組選択方法の処理の流れを説明したフローチャートである。
【発明を実施するための形態】
【００１２】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１３】
本実施形態において、番組は、放送局等から提供される放送プログラムの編成単位の総称であり、その番組の具体的なコンテンツをデジタル番組ストリーム（または単に番組ストリーム）と称する。したがって、以下では、特にコンテンツそのものを指す場合にデジタル番組ストリームの文言を用い、その総称を示す場合に番組の文言を用いることとする。
【００１４】
（番組表示システム１００）
図１は、番組表示システム１００の概略的な接続関係を示した説明図である。番組表示システム１００は、放送受信装置１１０と、リモコン１１２と、表示装置１１４と、アンテナ１１６とを含んで構成される。
【００１５】
放送受信装置１１０は、放送局１２０やサーバ装置１２２から、アンテナ１１６や通信網１２６を通じて、地上波デジタル放送、ＢＳ・ＣＳデジタル放送、ケーブルテレビ放送、ＩＰ放送、ビデオオンデマンド等、様々な番組放送のデジタル放送信号（放送信号）を受信し、そのデジタル放送信号から選択決定された任意の番組の映像を表示装置１１４に表示させる。また、放送受信装置１１０は、受信した番組のデジタル番組ストリームを録画（記憶）することもできる。
【００１６】
リモコン１１２は、放送受信装置１１０を遠隔操作する装置であり、視聴者の操作入力を受けて、番組の選択決定、選択決定された番組の音量調節等、様々な処理を操作する。本実施形態において、リモコン１１２は、特に、チャンネルのアップ・ダウン選局や、チャンネルキーのダイレクト選局を実行することができる。
【００１７】
表示装置１１４は、液晶ディスプレイ、有機ＥＬ(Electro Luminescence)ディスプレイ、シネマスクリーン、プロジェクタ（投影機）等で構成され、放送受信装置１１０で受信されたデジタル放送信号に基づく番組（映像）を表示する。アンテナ１１６は、地上波デジタル放送、ＢＳ・ＣＳデジタル放送のデジタル放送信号を受信する。
【００１８】
番組表示システム１００に係るテレビジョン放送は、地上波アナログ放送から地上波デジタル放送へ移行し、放送サービス形態の拡大も手伝って、視聴者が視聴可能なチャンネルや放送番組が増加しつつある。したがって、視聴者は、所望する番組を見つけ出すため、また、番組情報だけでは見落としてしまうかもしれない興味ある番組の見逃しを回避するために、そのような多数のチャンネルを、ザッピングを通じて隈無く視認することがある。このとき、放送受信装置１１０において任意の番組が録画されている場合、意図せず、録画されている番組を、途中段階で視認してしまうおそれがある。そこで、本実施形態の放送受信装置１１０では、録画に関わる番組を視聴者がザッピング中に選局してしまっても、その録画に関わる番組の途中段階の番組内容の表示を行わないことで、その番組を途中から視聴させないようにする。以下、放送受信装置１１０を構成する各機能部について説明し、その後、放送受信装置１１０を用いた番組選択方法を詳述する。
【００１９】
（第１の実施形態：放送受信装置１１０）
図２は、放送受信装置１１０の概略的な構成を示した機能ブロック図である。放送受信装置１１０は、操作部１３０と、リモコンＩ／Ｆ１３２と、ＮＩＭ（Network Interface Module）部１３４（１３４ａ、１３４ｂ）と、ネットワーク通信部１３６と、ＢＢ−ＮＩＭ部１３８（１３８ａ、１３８ｂ）と、ＴＳデコーダ１４０（１４０ａ、１４０ｂ）と、番組録画部１４２と、ソース切換部１４４と、ビデオデコーダ１４６と、オーディオデコーダ１４８と、ＯＳＤ重畳部１５０と、中央制御部１５２とを含んで構成される。ここで、ＮＩＭ部１３４と、ＢＢ−ＮＩＭ部１３８と、ＴＳデコーダ１４０とは放送受信部として機能する。本実施形態において放送受信部は複数設けられ、視聴者に指定された複数のチャンネルのデジタル放送信号やＩＰ放送信号（ＩＰストリーミング）を同時に復調することができる。図２では、データの流れを実線の矢印で表し、制御信号の流れを破線の矢印で表している。
【００２０】
操作部１３０は、操作キー、十字キー、ジョイスティック、ジョグダイヤル、タッチパネル等のスイッチから構成され、視聴者の操作入力を受け付ける。リモコンＩ／Ｆ１３２は、リモコン１１２との赤外線通信を通じて視聴者入力に対応したコマンドを取得し中央制御部１５２に送信する。中央制御部１５２は、かかるコマンドを読み取り、そのコマンドに対応した処理を遂行する。
【００２１】
ＮＩＭ部１３４は、図２中１３４ａおよび１３４ｂで示されるように複数設けられ、アンテナ１１６を通じて取得されたデジタル放送信号のうち、リモコン１１２や操作部１３０を通じて視聴者に指定されたチャンネルに対応するデジタル放送信号を復調し、その復調した復調信号がＭＰＥＧ形式で圧縮された信号であれば、復調信号に含まれる１つ以上のＭＰＥＧ−ＴＳ（Moving Picture Experts Group- Transport Stream）を抽出する。
【００２２】
ネットワーク通信部１３６は、通信網１２６に接続され、サーバ装置１２２から、デジタル放送信号に相当するＩＰストリーミングをパケット単位で取得する。ＢＢ−ＮＩＭ（Broad Band-NIM）部１３８は、図２中１３８ａおよび１３８ｂで示されるようにＮＩＭ部１３４同様、複数設けられ、リモコン１１２や操作部１３０を通じて視聴者に指定された任意のチャンネルに関するＩＰストリーミング（デジタル番組ストリーム）を通信網１２６から取得、復調して、復調信号に含まれる１つ以上のＭＰＥＧ−ＴＳを抽出する。ただし、ＩＰストリーミングはアンテナ１１６を通じて取得されるデジタル放送と異なりＭＰＥＧ−ＴＳが不連続に送信されるため、ＭＰＥＧデータに挿入されているタイムスタンプ等に基づいてデータ速度を調整する。
【００２３】
ＴＳデコーダ１４０は、図２中１４０ａおよび１４０ｂで示されるように複数設けられ、ＮＩＭ部１３４またはＢＢ−ＮＩＭ部１３８で抽出された１つ以上のＭＰＥＧ−ＴＳから、選択決定されたチャンネルのＭＰＥＧ−ＴＳのみを抽出すると共に、その抽出したＭＰＥＧ−ＴＳを、ＭＰＥＧビデオストリーム、ＭＰＥＧオーディオストリーム、およびＰＳＩ（Program Specification Information）/ＳＩ（Service Information）等の付加データに分離する。上述したように放送受信部は複数設けられるのでＴＳデコーダ１４０も複数設けられる。ここで、少なくとも１のＴＳデコーダ１４０ｂは、録画を目的として、ＭＰＥＧビデオストリームおよびＭＰＥＧオーディオストリームを番組録画部１４２に出力し、他の１のＴＳデコーダ１４０ａは、ＭＰＥＧビデオストリームおよびＭＰＥＧオーディオストリームを、ソース切換部１４４に出力する。
【００２４】
番組録画部１４２は、ＨＤＤ等のストレージで構成され、ＴＳデコーダ１４０から出力されたデジタル番組ストリーム（ＭＰＥＧビデオストリームおよびＭＰＥＧオーディオストリーム）を録画（記憶）する。また、番組録画部１４２は、ＣＤ（Compact Disc）、ＤＶＤ（Digital Versatile Disk）やＢＤ（Blu-ray Disc）といった光ディスク媒体や、ポータブルメモリカード等、着脱可能な記憶媒体にデジタル番組ストリームを記憶させる装置として構成されてもよい。当該デジタル番組ストリームの録画は、表示装置１１４への表示を伴うことなく実行することができる。また、デジタル番組ストリームを録画している間、その番組のチャンネルを中央制御部１５２に通知する。
【００２５】
ソース切換部１４４は、ＴＳデコーダ１４０ａおよび番組録画部１４２に接続され中央制御部１５２の制御指令に応じて、いずれか一方から出力されるＭＰＥＧビデオストリームおよびＭＰＥＧオーディオストリームをそれぞれビデオデコーダ１４６およびオーディオデコーダ１４８に出力する。
【００２６】
ビデオデコーダ１４６は、ＭＰＥＧビデオストリームを映像信号にデコードしてＯＳＤ重畳部１５０に出力する。オーディオデコーダ１４８は、ＭＰＥＧオーディオストリームを音声信号にデコードして、表示装置１１４に出力する。ＯＳＤ重畳部１５０は、ビデオデコーダ１４６から入力したＭＰＥＧビデオストリームに中央制御部１５２から入力されたＯＳＤ（On Screen Display）を重畳し、表示装置１１４に出力する。
【００２７】
中央制御部１５２は、中央処理装置（ＣＰＵ）、プログラム等が格納されたＲＯＭ、ワークエリアとしてのＲＡＭ等を含む半導体集積回路により、放送受信装置１１０全体を管理および制御する。また、本実施形態において中央制御部１５２は、録画制御部１５８、チャンネル記憶部１６０、情報取得部１６２、表示制御部１６４としても機能する。
【００２８】
録画制御部１５８は、リモコン１１２や操作部１３０を通じ、視聴者に指定された日時、キーワード、番組表等に基づいて放送受信部で受信された複数のチャンネルのうちの１つのチャンネル（以下、単に「録画チャンネル」という。）の放送に含まれる番組にかかるデジタル番組ストリームを番組録画部１４２に録画させる。チャンネル記憶部１６０は、番組録画部１４２に録画させた番組に対応する放送のチャンネルである録画チャンネルを記憶する。情報取得部１６２は、リモコン１１２や操作部１３０を通じた視聴者の操作入力に基づき、視聴者によって設定された任意のチャンネル（以下、単に「設定チャンネル」という。）を取得し、ＮＩＭ部１３４やＢＢ−ＮＩＭ部１３８に、その設定チャンネルに対応するデジタル放送信号を復調させる。ただし、視聴者がチャンネルキーのダイレクト選局を行った場合、直接、設定チャンネルを取得できるが、設定チャンネルのアップ・ダウン選局を行った場合、その操作コマンドに応じ、直近の設定チャンネルに対してインクリメントまたはデクリメントしたチャンネルを設定チャンネルとして導出することとなる。
【００２９】
表示制御部１６４は、情報取得部１６２が取得した設定チャンネルに対応する番組を表示装置１１４に表示させる。ただし、本実施形態による録画中番組非表示設定（録画中の番組が選択された場合、その表示を行わない設定）がなされており、かつ、視聴者が番組視聴を試みているとき、番組録画部１４２がデジタル番組ストリームを録画している最中であれば、表示制御部１６４は、その録画している録画チャンネルに応じて表示装置１１４に表示する番組を選択する。
【００３０】
具体的に、表示制御部１６４は、情報取得部１６２が取得した設定チャンネルと、番組録画部１４２に録画中の番組に対応する録画チャンネルとを比較し、一致していない場合、情報取得部１６２が取得した設定チャンネルに対応する番組を表示装置１１４に表示させ、一致した場合、一致したチャンネル以外の設定チャンネルの放送を放送受信部に受信させ、受信させた設定チャンネルの放送に含まれる番組を表示装置１１４に表示させる。すなわち、チャンネルが一致した場合、表示制御部１６４は、情報取得部１６２が取得した設定チャンネル以外の任意の設定チャンネルに基づくデジタル放送信号をＮＩＭ部１３４やＢＢ−ＮＩＭ部１３８に復調させる。
【００３１】
上記一致したチャンネル以外の任意の設定チャンネルは、視聴者によるリモコン１１２または操作部１３０の操作に応じて、以下に示す（１）スキップ先の設定チャンネル、または、（２）元の設定チャンネルのように決定される。
【００３２】
（（１）スキップ先の設定チャンネル）
上述したように、情報取得部１６２がリモコン１１２（リモコンＩ／Ｆ１３２）や操作部１３０から、設定チャンネルのアップ・ダウン選局にかかる操作コマンドを取得した場合、情報取得部１６２は、元（直近）の設定チャンネルに対してインクリメントまたはデクリメントした設定チャンネルを導出する。ここで、録画中番組非表示設定がなされており、かつ、番組録画部１４２がデジタル番組ストリームを録画している間に、視聴者が番組視聴を試みて設定チャンネルのアップ・ダウン選局を行い、チャンネルが一致した場合、表示制御部１６４は、当該設定チャンネルをスキップした次のチャンネルを設定チャンネルとし、その設定チャンネルの放送を放送受信部に受信させ、受信させた設定チャンネルの放送に含まれる番組（スキップ先の設定チャンネルに対応する番組）を表示装置１１４に表示させる。ここで、図３を用いて以下に具体例を示す。
【００３３】
仮に、チャンネルを１〜１２の整数で表せるとし、操作部１３０から、設定チャンネルのアップ選択にかかる操作コマンドを取得したとき、設定チャンネルが「１」であるとする。このとき、情報取得部１６２は、通常、元の設定チャンネル「１」に対してインクリメントした設定チャンネル「２」を導出する（図３中Ａ）。ここで、録画中番組非表示設定がなされており、かつ、そのアップ選択が、番組録画部１４２がデジタル番組ストリームを録画している間になされたものであれば、表示制御部１６４は、インクリメントした設定チャンネル「２」と、番組録画部１４２が録画しているデジタル番組ストリームに対応する録画チャンネル「２」とを比較し（図３中Ｂ）、チャンネルが一致すると、そのチャンネル「２」をスキップして、設定チャンネルを「３」に設定する（図３中Ｃ）。こうして表示装置１１４には、設定チャンネル「２」に対応する番組が表示されないこととなる。
【００３４】
かかる構成により、録画に関わる番組を、視聴者がアップ・ダウン選局によって選択してしまっても、その録画チャネルに対応する設定チャンネルをスキップして、録画に関わる番組を途中から視聴させないようにすることが可能となる。
【００３５】
また、表示制御部１６４は、スキップ完了後、「録画中のチャンネルをスキップしました。」等のＯＳＤを、ＯＳＤ重畳部１５０を通じてＭＰＥＧビデオストリームに重畳し、事後的に録画チャンネルに対応する設定チャンネルをスキップしたことを視聴者に報知するとしてもよい。こうして、視聴者は、録画されているのを知らずにザッピングを行った場合において、設定チャンネルがスキップされた理由を容易かつ確実に把握することが可能となる。
【００３６】
また、表示制御部１６４は、設定チャンネルのスキップを行う前に、スキップの実行採否を視聴者に確認するとしてもよい。例えば、表示制御部１６４は、上記スキップの条件を満たすと、「録画中のチャンネルをスキップします。」等のＯＳＤを、ＯＳＤ重畳部１５０を通じてＭＰＥＧビデオストリームに重畳する。ここで、リモコン１１２や操作部１３０を通じて、情報取得部１６２が、視聴者によるスキップを了承する旨の操作コマンドを取得した場合に限り、表示制御部１６４は、設定チャンネルのスキップを実行するとしてもよい。ただし、情報取得部１６２が操作コマンドを取得するまでは、元の設定チャンネルに対応する番組を表示し続ける。こうして、視聴者は、録画中の番組を選択したことを把握すると共に、その番組を一時的に表示するか否か自発的に選択することが可能となる。
【００３７】
（（２）元の設定チャンネル）
また、録画中番組非表示設定がなされており、かつ、番組録画部１４２がデジタル番組ストリームを録画している間に、視聴者が番組視聴を試みて設定チャンネルのダイレクト選局を行い、チャンネルが一致した場合、表示制御部１６４は、元（操作コマンドを取得する前）の設定チャンネルの放送を放送受信部に受信させ、受信させた設定チャンネルの放送に含まれる番組（前に設定されていた設定チャンネルに対応する番組）を表示装置１１４に表示させる。ここで、図４を用いて以下に具体例を示す。
【００３８】
設定チャンネル「１」に対応する番組が表示されている間に、情報取得部１６２が、リモコン１１２や操作部１３０から、設定チャンネルのダイレクト選択にかかる操作コマンドを通じて設定チャンネル「５」を取得したとする（図４中Ａ）。ここで、録画中番組非表示設定がなされており、かつ、そのダイレクト選択が、番組録画部１４２がデジタル番組ストリームを録画している間になされたものであれば、表示制御部１６４は、取得した設定チャンネル「５」と、番組録画部１４２が録画しているデジタル番組ストリームに対応する録画チャンネル「５」とを比較し（図４中Ｂ）、チャンネルが一致すると、その設定チャンネル「５」に対応する番組の表示を行わず、元の設定チャンネル「１」に対応する番組を表示し続ける（図４中Ｃ）。こうして表示装置１１４には、設定チャンネル「５」に対応する番組が表示されない。
【００３９】
かかる構成により、録画に関わる番組を、視聴者がダイレクト選局によって選択してしまっても、その録画に関わる番組を途中から視聴させないようにすることが可能となる。
【００４０】
また、表示制御部１６４は、チャンネルが一致した時点で、「録画中のチャンネルの表示を行いませんでした。」等のＯＳＤを、ＯＳＤ重畳部１５０を通じてＭＰＥＧビデオストリームに重畳し、事後的にその設定チャンネルに対応する番組を表示しなかったことを視聴者に報知するとしてもよい。こうして、視聴者は、録画されているのを知らずにザッピングを行った場合において、設定チャンネルが表示されなかった理由を容易かつ確実に把握することが可能となる。
【００４１】
また、表示制御部１６４は、チャンネルが一致した時点で、番組非表示の採否を視聴者に確認するとしてもよい。例えば、表示制御部１６４は、上記非表示の条件を満たすと、「録画中のチャンネルを表示しません。」等のＯＳＤを、ＯＳＤ重畳部１５０を通じてＭＰＥＧビデオストリームに重畳する。ここで、リモコン１１２や操作部１３０を通じて、情報取得部１６２が、視聴者による非表示を了承する旨の操作コマンドを取得した場合に限り、表示制御部１６４は、設定チャンネルに対応する番組を表示しないとしてもよい。こうして、視聴者は、録画中の番組を選択したことを把握すると共に、その番組を一時的に表示するか否か自発的に選択することが可能となる。
【００４２】
（番組選択方法）
図５は、第１の実施形態における番組選択方法の処理の流れを説明したフローチャートである。電源が投入されると、放送受信装置１１０の表示制御部１６４は、直近に設定された設定チャンネルである元チャンネル（変数）を参照し、その元チャンネルに対応する番組を表示装置１１４に表示させる（Ｓ２００）。
【００４３】
そして、情報取得部１６２は、操作部１３０を通じて視聴者から操作入力が有ったか否か判定し（Ｓ２０２）、操作入力が有れば（Ｓ２０２におけるＹＥＳ）、その操作入力がアップ・ダウン選局であるか否か判定する（Ｓ２０４）。操作入力がアップ・ダウン選局であれば（Ｓ２０４におけるＹＥＳ）、表示制御部１６４は、録画中番組非表示設定がなされており、かつ、番組録画部１４２がデジタル番組ストリームを録画しているか否か判定し（Ｓ２０６）、かかる条件を満たせば（Ｓ２０６におけるＹＥＳ）、そのアップ・ダウン選局を行った場合に移行する設定チャンネルと、録画中の番組に対応する録画チャンネルとが一致しているか否か判定し（Ｓ２０８）、一致していれば（Ｓ２０８におけるＹＥＳ）、スキップを行うか否かを確認するＯＳＤを表示装置１１４に表示させる（Ｓ２１０）。
【００４４】
ここで、情報取得部１６２は、操作部１３０を通じて視聴者から操作入力が有ったか否か判定し（Ｓ２１２）、操作入力が有れば（Ｓ２１２におけるＹＥＳ）、その操作入力がスキップを示す操作入力であるか否か判定する（Ｓ２１４）。ここで、スキップを示す操作入力であれば（Ｓ２１４におけるＹＥＳ）、表示制御部１６４は、当該設定チャンネルのスキップ処理を遂行し（Ｓ２１６）、スキップ先の設定チャンネルによって元チャンネルを更新すると共に（Ｓ２１８）、スキップ先の設定チャンネルに対応する番組を表示装置１１４に表示させ（Ｓ２２０）、ステップＳ２０２の入力待ち状態からを繰り返す。
【００４５】
また、録画中番組非表示設定がなされていないか、番組録画部１４２がデジタル番組ストリームを録画していない場合（Ｓ２０６におけるＮＯ）、アップ・ダウン選局を行った場合に移行する設定チャンネルと、録画中の番組に対応する録画チャンネルとが一致していない場合（Ｓ２０８におけるＮＯ）、または、操作入力がスキップを示す操作入力でない場合（Ｓ２１４におけるＮＯ）、表示制御部１６４は、その選局がアップであるかダウンであるかに応じて当該設定チャンネルをインクリメントまたはデクリメントし（Ｓ２２２）、変更後の設定チャンネルによって元チャンネルを更新すると共に（Ｓ２２４）、変更後の設定チャンネルに対応する番組を表示装置１１４に表示させ（Ｓ２２６）、ステップＳ２０２の入力待ち状態からを繰り返す。
【００４６】
ここで、視聴者によってスキップ処理の強制設定がなされている場合、ステップＳ２１０〜ステップＳ２１４までの処理を省略し、アップ・ダウン選局を行った場合に移行する設定チャンネルと、録画中の番組に対応する録画チャンネルとが一致していれば（Ｓ２０８におけるＹＥＳ）、強制的にステップＳ２１６のスキップ処理を実行するとしてもよい。
【００４７】
また、ステップＳ２０４の選局判定処理において、操作入力がアップ・ダウン選局でなければ（Ｓ２０４におけるＮＯ）、操作入力がダイレクト選局であるか否か判定され（Ｓ２２８）、ダイレクト選局であれば（Ｓ２２８におけるＹＥＳ）、表示制御部１６４は、録画中番組非表示設定がなされており、かつ、番組録画部１４２がデジタル番組ストリームを録画しているか否か判定し（Ｓ２３０）、かかる条件を満たせば（Ｓ２３０におけるＹＥＳ）、そのダイレクト選局によって指定された設定チャンネルと、録画中の番組に対応する録画チャンネルとが一致しているか否か判定し（Ｓ２３２）、一致していれば（Ｓ２３２におけるＹＥＳ）、非表示とするか否かを確認するＯＳＤを表示装置１１４に表示させる（Ｓ２３４）。
【００４８】
ここで、情報取得部１６２は、操作部１３０を通じて視聴者から操作入力が有ったか否か判定し（Ｓ２３６）、操作入力が有れば（Ｓ２３６におけるＹＥＳ）、その操作入力が非表示を示す操作入力であるか否か判定する（Ｓ２３８）。ここで、非表示を示す操作入力であれば（Ｓ２３８におけるＹＥＳ）、何らの処理も行わず（非表示）、ステップＳ２０２の入力待ち状態からを繰り返す。
【００４９】
また、録画中番組非表示設定がなされていないか、番組録画部１４２がデジタル番組ストリームを録画していない場合（Ｓ２３０におけるＮＯ）、ダイレクト選局によって指定された設定チャンネルと、録画中の番組に対応する録画チャンネルとが一致していない場合（Ｓ２３２におけるＮＯ）、または、操作入力が非表示を示す操作入力でない場合（Ｓ２３８におけるＮＯ）、表示制御部１６４は、ダイレクト選局によって指定された設定チャンネルによって元チャンネルを更新すると共に（Ｓ２４０）、変更後の設定チャンネルに対応する番組を表示装置１１４に表示させ（Ｓ２４２）、ステップＳ２０２の入力待ち状態からを繰り返す。
【００５０】
ここで、視聴者によってダイレクト選局時の非表示処理の強制設定がなされている場合、ステップＳ２３４〜ステップＳ２３８までの処理を省略することができる。また、ステップＳ２２８の選局判定処理において、操作入力がダイレクト選局でなければ（Ｓ２２８におけるＮＯ）、ステップＳ２０２の入力待ち状態からを繰り返す。
【００５１】
以上、説明した放送受信装置１１０および番組選択方法によって、録画に関わる番組を視聴者がザッピング中に選局してしまっても、その録画に関わる番組を途中から視聴させないようにすることができる。したがって、視聴者は、録画している番組を意識することなく、ザッピングを通じて所望する番組を選択することが可能となる。
【００５２】
（第２の実施形態）
第１の実施形態では、選局に関わる設定チャンネルが、録画中の番組に対応する録画チャンネルと一致していると、（１）スキップ先の設定チャンネル、または、（２）元の設定チャンネルに対応する番組を表示することで、当該録画中の番組の表示を回避した。第２の実施形態では、録画中の番組を途中から見るのではなく、番組開始から積極的に表示することで、途中段階の番組内容の表示を回避する。第２の実施形態における各構成は、既に第１の実施形態において説明した構成と実質的に機能が等しいので、第２の実施形態においても、図２を用いて各構成を説明する。
【００５３】
第２の実施形態において、録画中番組非表示設定がなされており、かつ、視聴者が番組視聴を試みているとき、番組録画部１４２がデジタル番組ストリームを録画している最中であれば、表示制御部１６４は、録画されている番組を所定の相対時刻（番組開始に対する時刻）から再生させる。かかる所定の相対時刻は、番組開始や開始所定時間後等の固定値でもよいし、既に再生している番組に関し、前回再生を停止した位置（レジュームポイント）といったように変動値でもよい。
【００５４】
具体的に、表示制御部１６４は、情報取得部１６２が取得した設定チャンネルと、番組録画部１４２が録画しているデジタル番組ストリームに対応する録画チャンネルとを比較し、一致していない場合、情報取得部１６２が取得した設定チャンネルに対応する番組を表示装置１１４に表示させ、一致した場合、ソース切換部１４４の入力をＴＳデコーダ１４０ａから番組録画部１４２に切り換え、番組録画部１４２に録画されている、当該チャンネルに対応する番組を表示装置１１４に表示させる。
【００５５】
また、表示制御部１６４は、上記のようにして番組録画部１４２に録画されている番組を表示している間に、さらに視聴者によって設定チャンネルが変更されると、その番組について表示を停止し、停止したレジュームポイントを記憶しておく。そして、そのチャンネルが選択されると、再度、番組録画部１４２に録画中の番組を記憶したレジュームポイントから再生させる。こうして、次に同チャンネルが選択された場合においても、前回再生を停止した位置から視聴することが可能となる。
【００５６】
また、表示制御部１６４は、チャンネルが一致した時点で、番組の所定の相対時刻からの再生の採否を視聴者に確認するとしてもよい。例えば、表示制御部１６４は、上記チャンネルが一致する等、非表示の条件を満たすと、「録画中の番組を再生します。」等のＯＳＤを、ＯＳＤ重畳部１５０を通じてＭＰＥＧビデオストリームに重畳する。ここで、リモコン１１２や操作部１３０を通じて、情報取得部１６２が、所定の相対時刻からの表示を了承する旨の操作コマンドを取得した場合に限り、表示制御部１６４は、設定チャンネルに対応する番組を所定の相対時刻から再生するとしてもよい。こうして、視聴者は、録画中の番組を選択したことを把握すると共に、その番組を所望する相対時刻から視聴することが可能となる。
【００５７】
（番組選択方法）
図６は、第２の実施形態における番組選択方法の処理の流れを説明したフローチャートである。第１の実施形態における処理として既に述べた処理に関しては、実質的に機能が同一なので、同一の符号を付すことで重複説明を省略し、ここでは、第１の実施形態と内容が異なる処理を主として説明する。
【００５８】
操作入力がアップ・ダウン選局であれば（Ｓ２０４におけるＹＥＳ）、また、操作入力がダイレクト選局であれば（Ｓ２２８におけるＹＥＳ）、現在の表示が録画されている番組の再生に基づくものであるか否か判定し（Ｓ３５０）、録画されている番組の再生に基づくものであれば（Ｓ３５０におけるＹＥＳ）、その番組について再生を停止し、停止したレジュームポイントを記憶する（Ｓ３５２）。こうして、次に同一のチャンネルが選択された場合においても、前回、再生を停止した位置から視聴することが可能となる。
【００５９】
また、表示制御部１６４は、その選局を行った場合に移行する設定チャンネルと、録画中の番組に対応する録画チャンネルとが一致していれば（Ｓ２０８におけるＹＥＳ、または、Ｓ２３２におけるＹＥＳ）、そのチャンネルに対応する番組をレジュームポイントから再生するか否かを確認するＯＳＤを表示装置１１４に表示させる（Ｓ３５４）。これに対して、視聴者の操作入力が再生を示す操作入力であれば（Ｓ３５６におけるＹＥＳ）、表示制御部１６４は、ソース切換部１４４の入力をＴＳデコーダ１４０ａから番組録画部１４２に切り換え（Ｓ３５８）、当該チャンネルに対応する番組を記憶されたレジュームポイントから再生し、表示装置１１４に表示させる（Ｓ３６０）。
【００６０】
以上、説明した放送受信装置１１０および番組選択方法によって、録画に関わる番組を視聴者がザッピング中に選局してしまっても、その途中段階の番組内容の表示を視認することなく、所望の相対時刻からその番組を視聴することができる。したがって、視聴者は、録画している番組を意識することなく、ザッピングを通じて所望する番組を選択し、また、録画している番組を自動的に表示開始することが可能となる。
【００６１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６２】
例えば、上述した実施形態においては、放送受信部が２つ設けられている例を挙げて説明したが、放送受信部の数はかかる場合に限られず、３以上設けられていてもよい。この場合、複数の放送受信部によって複数のデジタル番組ストリームを録画することが可能となる。
【００６３】
なお、本明細書の番組選択方法の各工程は、必ずしもフローチャートとして記載された順序に沿って時系列に処理する必要はなく、並列的あるいはサブルーチンによる処理を含んでもよい。
【産業上の利用可能性】
【００６４】
本発明は、ザッピング選局の際に、選局された番組を視聴者が所望する表示態様で表示する放送受信装置および番組選択方法に利用することができる。
【符号の説明】
【００６５】
１１０  …放送受信装置
１１２  …リモコン
１３０  …操作部
１３４  …ＮＩＭ部
１３６  …ネットワーク通信部
１３８  …ＢＢ−ＮＩＭ部
１４０  …ＴＳデコーダ
１４２  …番組録画部
１４４  …ソース切換部
１５０  …ＯＳＤ重畳部
１５８  …録画制御部
１６０  …チャンネル記憶部
１６２  …情報取得部
１６４  …表示制御部
【図１】
2013012945.tif 000003
【図２】
2013012945.tif 000004
【図３】
2013012945.tif 000005
【図４】
2013012945.tif 000006
【図５】
2013012945.tif 000007
【図６】
2013012945.tif 000008